(57)【要約】【課題】  本発明は、ＯＡデスクの収納庫（引き出し等）の施解錠を確実に効率的に行い、且つ収納庫の異常な開閉があった場合には警報をすることが可能なＯＡデスクを提供することを目的とする。【解決手段】    収納庫３ａのデスク錠３ｂを備えたＯＡデスク１と、前記収納庫３ａの開閉検出センサ３ｃと、予め認証されたＩＤコードを書き込んだＩＤカード２と、前記ＯＡデスク１に備えられ、受信するＩＤコードを認識して前記収納庫３ａのデスク錠３ｂの開閉を制御する受信装置５とを備え、前記受信装置５は、受信する信号が前記受信装置５に予め格納された前記ＯＡデスク１のＩＤコードと一致しているか否かを判定し、前記収納庫３ａのデスク錠３ｂの開閉を制御するとともに、前記開閉検出センサ３ｃのみが作動した場合には警報を出力するようにしたことを特徴とする。【選択図】  図１
2005083082.tif 000002
【特許請求の範囲】
【請求項１】
収納庫の錠を備えたＯＡデスクと、
前記収納庫の開閉を検出する開閉検出手段と、
予め認証されたＩＤコードを書き込んだＩＤカードと、
前記ＯＡデスクに備えられ、受信するＩＤコードを認識して前記収納庫の錠の開閉を制御する受信装置とを
備え、
前記受信装置は、受信する信号が前記受信装置に予め格納された前記ＯＡデスクのＩＤコードと一致しているか否かを判定し、前記収納庫の錠の開閉を制御するとともに、前記開閉検出手段のみが作動した場合警報を出力するようにしたことを特徴とするＯＡデスク。
【請求項２】
収納庫の錠を備えたＯＡデスクと、
前記収納庫の開閉を検出する開閉検出手段と、
予め認証されたＩＤコードを書き込んだＩＤカードと、
前記ＯＡデスクに備えられ、受信するＩＤコードを認識して前記収納庫の錠の開閉を制御する受信装置と、
前記受信装置と通信手段で接続されるオフィスサーバとを
備え、
前記受信装置は、受信する信号が前記受信装置に予め格納された前記ＯＡデスクのＩＤコードと一致しているか否かを判定し、前記収納庫の錠の開閉を制御するとともに、前記開閉検知手段のみが作動した場合警報を前記オフィスサーバに送信し、
前記オフィスサーバは、このオフィスサーバの端末に異常開閉されたＯＡデスクの収納庫の警報表示をするようにしたことを特徴とするＯＡデスクシステム。
【発明の詳細な説明】
【技術分野】
【０００１】
本発明は、収納庫を備えたＯＡデスク及びＯＡデスクシステムに係わり、特に、ＩＤカードを利用した収納庫のセキュリティ機能を備えたＯＡデスク及びＯＡデスクシステムに関する。
【背景技術】
【０００２】
近年、ＩＤカードは出退勤管理、浸入監視等のオフィスの自動化にも利用が拡大している。このような複数の目的のために複数のカードリーダを備えることなく一つのＩＤカードによって、モードを切替えて併用が可能なＩＤカードが知られている（例えば、特許文献１参照。）。
【０００３】
また、ＩＤカードによる通行制御扉の電気錠を施解錠するＩＤ判別装置も知られている。オフィスにおいては、このような人の浸入監視以外に、機密書類を収納するＯＡデスクの引き出しや重要書類を収納する書庫棚等の収納庫のセキュリティ管理も望まれている。
【特許文献１】特開平６−３０１８３３号公報
【発明の開示】
【発明が解決しようとする課題】
【０００４】
通常、オフィスの機密書類は、その書類を管理する管理者のＯＡデスクの引き出しに収納されることが多い。管理者は、このような書類を保有する場合は、引き出し等の収納庫の鍵を持ち、離籍する場合は施錠して席を離れる。
【０００５】
しかし、オフィスでの業務においては、頻繁に離着席することも多く、施錠を忘れる可能性も多い。また、実際には離着席の度毎に施解錠を繰り返していたのでは効率が悪い。
【０００６】
前述したような従来の方法においては、オフィスに入退出する人の監視は行えるが、重要書類の収納庫そのものの管理はされていないので盗難の恐れがある。また、頻繁に操作されるＯＡデスクに備えた収納庫等においては、効率的で確実な施解錠や、盗難の警報は困難である。
【０００７】
本発明は、上記以上のような問題点を解決するためになされたもので、重要書類を収納した収納庫の施解錠が確実に効率的に行え、不正に解錠された場合には警報を出力することが容易に行えるＯＡデスク及びＯＡデスクシステムを提供することを目的とする。
【課題を解決するための手段】
【０００８】
上記目的を達成するために、本発明のＯＡデスクは、収納庫の錠を備えたＯＡデスクと、前記収納庫の開閉検出手段と、予め認証されたＩＤコードを書き込んだＩＤカードと、前記ＯＡデスクに備えられ、受信するＩＤコードを認識して前記収納庫の錠の開閉を制御する受信装置とを備え、前記受信装置は、受信する信号が前記受信装置に予め格納された前記ＯＡデスクのＩＤコードと一致しているか否かを判定し、前記収納庫の錠の開閉を制御するとともに、前記開閉検出手段のみが作動した場合警報を出力するようにしたことを特徴とする。
【０００９】
従って、本発明によれば、ＯＡデスクに備えた収納庫の施解錠が確実に、自動的に行え、異常な開閉があった場合には警報を出力することが出来る。
【発明の効果】
【００１０】
以上説明したように、本発明によれば、重要書類の収納庫の施解錠が確実に自動的に行え、不正に解錠された場合には警報を出力することが容易に行えるＯＡデスク及びそのＯＡデスクシステムを提供することができる。
【発明を実施するための最良の形態】
【００１１】
以下、本発明の実施の形態について図１乃至図４を参照して説明する。図１は本発明の実施の形態のオフィスにおける構成を説明する平面レイアウト図である。１は、ＩＤカード２を携帯する勤務者が椅子に座って作業するＯＡデスクである。
【００１２】
本発明の構成は、このＯＡデスク１、このＯＡデスク１で業務することが認証された携帯者のＩＤカード２、このＯＡデスク１に備えられた引き出し等の収納庫３ａ、収納庫３ａのデスク錠３ｂ、収納庫３ａの開閉状態を検出する開閉検出センサ３ｃ、このＯＡデスク１の内部、または近傍に備えられた受信装置５、受信装置５の出力とＬＡＮケーブル６を介して接続されるオフィスサーバ７及びそのサーバ端末７ａとから構成される。
【００１３】
次に、ＩＤカード２及び受信装置５の詳細構成について、図２を参照して説明する。ＩＤカード２はコイルアンテナ２ａ及びＩＣ回路２ｂとから構成される小型の無線タグで、ＩＣ回路２ｂには、図示しない認証コード（以後ＩＤコードと呼ぶ）を記憶したメモリと、このメモリの内容の読出し書き込み制御を行う制御回路と、変調回路と送信回路及びこのＩＣ回路の電源回路とから構成される。
【００１４】
受信装置５は、ＯＡデスク１の周囲にレイアウトされたアンテナ５１を介してＩＤカード２に電力を送信する送信回路５２と、アンテナ５１を介してＩＤカード２からのＩＤコードを受信する受信回路５３と、受信信号を復調する復調回路５４と、ＩＤメモリ５６と、復調回路５４によって復調されたＩＤコードを読み取り、読み取ったこのＩＤコードとＩＤメモリ５６に格納された所定のＩＤコードとを比較判定する制御回路５５と、この制御回路５５の出力によってデスク錠３ｂを施解錠する錠ドライブ回路５７、及び制御回路５５における比較判定結果を送信する通信インタフェース５８とから構成される。
【００１５】
また、この制御回路５５には、収納庫３ａの開閉状態の異常が判定できるように開閉検出センサ３ｃからの出力が入力される。この開閉検出センサ３ｃは、デスク錠３ｂの施解錠の状態と独立して、例えば、近接センサ等によって収納庫３ａの開閉状態の物理的な位置を検出できるものである。
【００１６】
上記の構成によるＯＡデスク１のデスク錠３ｂの施解錠動作及びＯＡデスクシステムの動作について図１乃至図３を参照して説明する。
【００１７】
ＩＤカード２は、ＩＤカード２の携帯者が受信装置５から所定の距離範囲以内に入ると、アンテナコイル２ａと受信装置５のアンテナ５１との電磁誘導結合によって、受信装置５から送信された電磁エネルギーでＩＣ回路２ｂの電源回路が作動し、メモリに書き込まれたＩＤコードをアンテナコイル２ａから送信する（Ｓ０１）。
【００１８】
受信装置５は、受信アンテナ５１を介して、受信回路５３でＩＤコードを受信し、さらに復調回路５４で復調して、復調されたＩＤコードを制御回路５５で読み取る。そして、読み取ったＩＤコードとＩＤメモリ５６に予め格納されたＩＤコードとを比較して、一致しているか否かをＩＤ判定処理で判定する（Ｓ０２）。
【００１９】
その結果、一致した場合は錠ドライブ回路５７に対してデスク錠３ｂを解錠する指令信号を出力するデスク錠解錠処理を実行する（Ｓ０３）。
【００２０】
一致しない場合は、錠ドライブ回路５７に対してデスク錠３ｂを施錠する指令信号を出力するデスク錠施錠処理を実行する（施錠Ｓ０４）。
【００２１】
この施解錠処理の判定時間は、所定の判定時間、例えば１０秒程度の継続信号で判定し、それ以下の時間での変化は無視してＩＤコードの存在の有無を判定するようにし、デスク錠３の開閉が無意味に頻繁に作動することがないように設定しておく。
【００２２】
次に、デスク錠３ｂが施錠と判定された状態において、開閉検出センサ３ｃの開閉状態を判定する異常処理を実行する。その結果、制御回路５５が施錠指令を出力している状態であるにもかかわらず、開閉検出センサ３ｃが何らかの原因で開閉を検出した場合には、何らかの原因で不正な開操作がされたと見なして「異常」と判定し、これらの状態出力を通信インタフェース５８及びＬＡＮケーブル６を介してオフィスサーバ７に送信する（Ｓ０５）。
【００２３】
オフィスサーバ７では、このようなＯＡデスク１からの状態信号をオフィス全ての管理対象とするＯＡデスクについてモニタし、警備室等のサーバ端末７ａで監視出来るようにしておく。
【００２４】
この警報モニタの例を図４に示す。図４においてＡ乃至Ｈは管理対象のＯＡデスクで、横軸は夫々のデスク錠３ｂの施錠状態を実線で示し、収納庫３ａの開閉状態の「異常」を斜線でブリンクさせて表示する。
【００２５】
例えば、ＯＡデスクＡは、８時から１０時の間はＩＤカード２の携帯者が着席し、デスク錠３ｂが解錠され、それ以後は施錠されていることを示す。またＯＡデスクＦはＩＤカード２の携帯者が着席していないにもかかわらず１１時乃至１２次の間に収納庫３ａが開閉され、開状態となったことを示している。
【００２６】
即ち、ＩＤカード２の携帯者のＩＤコードと、受信装置５のＩＤメモリ５６２格納されるＩＤコードを予め対応づけておき、ＯＡデスク１で業務するＩＤカード２の携帯者が、離着席する毎に自動的に収納庫３ａのデスク錠３ｂを自動的施解錠させる。
【００２７】
また、これらと独立に設けられる収納庫３ａの開閉検出センサ３ｃによって、収納庫３ａの異常な開閉状態が発生すると「異常」として警報する。
【００２８】
上述した本発明の実施の形態によれば、ＯＡデスク１の収納庫３ａの施解錠を自動的にＩＤカード２の携帯者が存在する場合においてのみ自動的に確実に開閉できる。さらに、ＯＡデスク１の収納庫３ａの異常な開閉状態も確実に検出され、監視できる。
【００２９】
さらに、本発明は、上述したような実施の形態に限定されるものではなく、ＯＡデスク以外の収納庫を備えた設備にも適用が可能で、本発明の主旨を逸脱しない範囲内で種々変形が可能ある。
【００３０】
以上説明したように、本発明によれば、重要書類の収納庫の施解錠が確実に自動的に行え、不正に解錠された場合には警報を出力することが容易に行えるＯＡデスク及びそのＯＡデスクシステムを提供することができる。
【図面の簡単な説明】
【００３１】
【図１】本発明の実施の形態の説明図。
【図２】本発明の実施の形態の構成図。
【図３】本発明の受信装置の制御動作のフロー図。
【図４】本発明の実施の形態の警報モニタ画面。
【符号の説明】
【００３２】
１  ＯＡデスク
２  ＩＤカード
３ａ  収納庫
３ｂ  デスク錠
３ｃ  開閉検出センサ
５  受信装置
６  ＬＡＮケーブル
７  オフィスサーバ
７ａ  サーバ端末
５１  アンテナ
５２  送信回路
５３  受信回路
５４  復調回路
５５  制御回路
５７  錠ドライブ回路
５８  通信インタフェース
【図１】
2005083082.tif 000003
【図２】
2005083082.tif 000004
【図３】
2005083082.tif 000005
【図４】
2005083082.tif 000006